(57)【要約】      （修正有）【課題】きのこ栽培袋にゴムバンドをワンタッチで掛け渡すことができ、作業性を大幅に向上させると共に、腱鞘炎を防止したきのこ栽培袋のゴムバンド掛け具を提供するものである。【解決手段】きのこ栽培袋の平面より大きい四角形状の枠体１１と、この枠体１１の各コーナー部に下方にそれぞれ突設した脚部１２と、これら脚部１２にそれぞれ取付けた滑りガイド１３と、前記枠体１１に取付けた把持部１４とからなり、４カ所の前記滑りガイド１３に四角形状に掛け渡したゴムバンド４を、きのこ栽培袋の上方から差し込んで栽培袋の上部側を囲むようにゴムバンド４を取付けるようにしたものである。【選択図】図１
0003150518.tif 000002
【実用新案登録請求の範囲】
【請求項１】
きのこ栽培袋の平面より大きい四角形状の枠体と、この枠体の各コーナー部に下方にそれぞれ突設した脚部と、これら脚部にそれぞれ取付けた滑りガイドと、前記枠体に取付けた把持部とからなり、４カ所の前記滑りガイドに四角形状に掛け渡したゴムバンドを、きのこ栽培袋の上方から差し込んで栽培袋の上部側を囲むようにゴムバンドを取付けるようにしたことを特徴とするきのこ栽培袋のゴムバンド掛け具。
【請求項２】
四角形状の枠体の中間に、ゴムバンドの取付け高さを調整する調整ガイドを上下動自在に取付けたことを特徴とする請求項１記載のきのこ栽培袋のゴムバンド掛け具。
【請求項３】
枠体が針金で形成されていることを特徴とする請求項１または２記載のきのこ栽培袋のゴムバンド掛け具。
【請求項４】
滑りガイドがプラスチックのカラーで形成されていることを特徴とする請求項１記載のきのこ栽培袋のゴムバンド掛け具。
【考案の詳細な説明】
【技術分野】
【０００１】
本発明は、きのこ栽培袋の菌床の上面からきのこを発生させる栽培方法において、きのこ栽培袋にゴムバンドを掛ける掛け具に関するものである。
【背景技術】
【０００２】
近年、しいたけの栽培は、プラスチック製のきのこ栽培袋の内部にオガクズなどを入れて培地を形成し、この培地にしいたけ菌を接種して菌床を形成する栽培方法が普及してきている。従来行なわれている栽培方法のうち、しいたけ菌栽培の培養完了後の発生工程において、栽培袋の上部を取除いて菌床の上面のみを露出させ、ここからしいたけを発生させる上面栽培方法がある。
【０００３】
この方法は、図７（Ａ）に示すようにプラスチック製のきのこ栽培袋１の内部にオガを詰めた培地２を形成し、この培地２の上面にしいたけ菌を接種して培養し菌床３を形成し、しいたけ菌床栽培の培養完了後の発生工程において、図７（Ｂ）に示すようにきのこ栽培袋１の上部を取除いて菌床３の上面のみを露出させ、きのこ栽培袋１の上部にゴムバンド４を掛け渡して、菌床側面及び底面部分との間の隙間５に水６を注水することで菌床２の側面と底面を浸漬した状態にして、図７（Ｃ）に示すように側面と底面からのしいたけ７の発生を抑制し、上面からのみ発生させるしいたけ菌床の発生方法が提案されている（特許文献１）。
【０００４】
この上面栽培方法では、きのこ栽培袋１の上部を取除いてから、きのこ栽培袋１の上部にゴムバンド４を掛け渡して締付ける作業が行なわれるが、栽培棚に多段に設置されているきのこ栽培袋１に、１日に数百個もゴムバンド４を掛ける作業は重労働であり、しかも指に力を入れて作業するため腱鞘炎になる問題があった。このゴムバンド４を掛け渡す作業は、きのこ栽培農家では最も手間がかかり重労働であるためその改善が望まれていた。
【先行技術文献】
【特許文献】
【０００５】
【特許文献１】特開平１０−２７１９１３
【考案の概要】
【考案が解決しようとする課題】
【０００６】
本考案は上記問題を改善し、きのこ栽培袋にゴムバンドをワンタッチで掛け渡すことができ、作業性を大幅に向上させると共に、腱鞘炎を防止したきのこ栽培袋のゴムバンド掛け具を提供するものである。
【課題を解決するための手段】
【０００７】
本考案の請求項１記載のきのこ栽培袋のゴムバンド掛け具は、きのこ栽培袋の平面より大きい四角形状の枠体と、この枠体の各コーナー部に下方にそれぞれ突設した脚部と、これら脚部にそれぞれ取付けた滑りガイドと、前記枠体に取付けた把持部とからなり、４カ所の前記滑りガイドに四角形状に掛け渡したゴムバンドを、きのこ栽培袋の上方から差し込んで栽培袋の上部側を囲むようにゴムバンドを取付けるようにしたことを特徴とするものである。
【０００８】
本考案の請求項２記載のきのこ栽培袋のゴムバンド掛け具は、請求項１において、四角形状の枠体の中間に、ゴムバンドの取付け高さを調整する調整ガイドを上下動自在に取付けたことを特徴とするものである。
【０００９】
本考案の請求項３記載のきのこ栽培袋のゴムバンド掛け具は、請求項１または２において、枠体が針金で形成されていることを特徴とするものである。
【００１０】
本考案の請求項４記載のきのこ栽培袋のゴムバンド掛け具は、請求項１において、滑りガイドがプラスチックのカラーで形成されていることを特徴とするものである。
【考案の効果】
【００１１】
本考案に係る請求項１記載のきのこ栽培袋のゴムバンド掛け具によれば、手に持って前後と上下の動作だけで、栽培棚に多段に設置されているきのこ栽培袋にゴムバンドをワンタッチで掛け渡すことができ、腱鞘炎を防止できると共にバンド掛け作業を効率よく行なうことができる。
【００１２】
また請求項２記載のきのこ栽培袋のゴムバンド掛け具によれば、ゴムバンドの取付け高さを調整する調整ガイドを上下動自在に取付けたのできのこ栽培袋１の所定の位置にゴムバンドを取付けることができる。
【００１３】
また請求項３記載のきのこ栽培袋のゴムバンド掛け具によれば、枠体が針金で形成されているので軽量であり、長時間作業しても手が疲れない。
【００１４】
また請求項４記載のきのこ栽培袋のゴムバンド掛け具によれば、滑りガイドがプラスチックのカラーで形成されているのでゴムバンド掛け具の組立て作業も容易で、ゴムバンドが外れ易く、更に作業性を向上させることができる。
【考案を実施するための最良の形態】
【００１５】
以下本考案の実施の一形態を図１ないし図５を参照して詳細に説明する。図において１０はきのこ栽培袋のゴムバンド掛け具を示すもので、平面長方形状をなすきのこ栽培袋１の平面より大きい平面長方形状をなす枠体１１と、この枠体１１の各コーナー部に下方に突設した脚部１２と、これら脚部１２にそれぞれ取付けられた滑りガイド１３と、前記枠体１１の一端側に取付けられた把持部１４とから構成されている。
【００１６】
また平面長方形状をなす前記枠体１１の短辺側の中間に、ゴムバンド４の取付け高さを調整する調整ガイド１５が上下動自在に取付けられている。枠体１１と脚部１２、把持部１４、および調整ガイド１５は針金１６で形成されている。また前記滑りガイド１３は、例えばガラスエポキシやフッ化エチレンなど滑り性の良いプラスチックで形成された円筒状のカラーで、脚部１２に挿着されている。
【００１７】
また把持部１４は２枚の円板１８の間を複数本の針金１６で連結して形成されている。また前記調整ガイド１５は、枠体１１の短辺側の中間に上下に貫通する貫通孔１９を形成したブロック２０が取付けられ。針金１６をＵ形に折曲したガイド棒２１の両端を、前記ブロック２０の貫通孔１９に上下動自在に貫通させてビス２２で固定するようになっている。
【００１８】
上記構成のきのこ栽培袋のゴムバンド掛け具１０は、先ず図１に示すように、調整ガイド１５のブロック２０に取付けたビス２２を緩めて、ガイド棒２１を菌床３の上面からゴムバンド４を掛ける位置に合わせて、貫通孔１９内を上下動させて調整し、ビス２２を締めて固定する。次に脚部１２に取付けた４本の滑りガイド１３にゴムバンド４を掛ける。この方法は手で掛けても、ゴムバンド４を広げる治具を使っても良い。
【００１９】
次に図２に示すようにゴムバンド掛け具１０の把持部１４を片手で持って、上部を切断したきのこ栽培袋１の上方から囲むように被せて菌床３の上面に載せる。枠体１１は、きのこ栽培袋１の平面より大きい長方形状に形成されているので、掛け渡したゴムバンド４を菌床３の上に簡単に被せることができる。この時、ガイド棒２１の底部が菌床３の上面に接触するのでゴムバンド４の位置が規定される。この状態でゴムバンド掛け具１０を前方に押すと、図３に示すように把持部１４側の滑りガイド１３、１３に係止されていたゴムバンド４がきのこ栽培袋１の片側に引っかかった状態となる。
【００２０】
更にゴムバンド掛け具１０を前方に押しながら、図４に示すように斜めに持ち上げると、把持部１４側の滑りガイド１３、１３からゴムバンド４が外れる。この後、図５に示すようにゴムバンド掛け具１０を水平にして戻しながら手前に引くと、先端側の滑りガイド１３、１３に係止されていたゴムバンド４が外れてきのこ栽培袋１の反対側の側面に支持される。最後に、図７に示すようにゴムバンド掛け具１０を上方に持ち上げると、先端側の滑りガイド１３、１３がゴムバンド４から外れて、菌床３の上面から設定した高さでゴムバンド４をワンタッチで掛けることができる。
【００２１】
このように、手に持ったゴムバンド掛け具１０の前後と上下の動作だけで、栽培棚に多段に設置されているきのこ栽培袋１の所定の位置にゴムバンド４をワンタッチで掛け渡すことができ、腱鞘炎を防止できると共にバンド掛け作業を効率よく行なうことができる。また枠体１１や脚部１２、把持部１４が針金１６で形成されているので軽量であり、長時間作業しても手が疲れない。また滑りガイド１３がプラスチックのカラーで形成されて滑り性が良いので、ゴムバンド４が外れ易く、またゴムバンド掛け具１０の組立て作業も容易である。
【図面の簡単な説明】
【００２２】
【図１】本考案の実施の一形態によるきのこ栽培袋のゴムバンド掛け具を示す斜視図である。
【図２】図１のゴムバンド掛け具を用いてきのこ栽培袋にゴムバンドを掛ける動作を示す側面図である。
【図３】ゴムバンド掛け具を用いてきのこ栽培袋にゴムバンドを掛ける動作を示す側面図である。
【図４】ゴムバンド掛け具を用いてきのこ栽培袋にゴムバンドを掛ける動作を示す側面図である。
【図５】ゴムバンド掛け具を用いてきのこ栽培袋にゴムバンドを掛ける動作を示す側面図である。
【図６】ゴムバンド掛け具を用いてきのこ栽培袋にゴムバンドを掛けた状態を示す側面図である。
【図７】（Ａ）はきのこ栽培袋の上部を切断している状態を示す側面図、（Ｂ）はきのこ栽培袋にゴムバンドを掛けた状態を示す側面図、（Ｃ）は菌床にしいたけが成長した状態を示す側面図である、
【符号の説明】
【００２３】
１    きのこ栽培袋                                          
２    培地                                                  
３    菌床                                                  
４    ゴムバンド                                            
５    隙間                                                  
６    水                                                    
７    しいたけ                                              
１０  ゴムバンド掛け具                                      
１１  枠体                                                  
１２  脚部                                                  
１３  滑りガイド                                            
１４  把持部                                                
１５  調整ガイド                                            
１６  針金                                                  
１８  円板                                                  
１９  貫通孔                                                
２０  ブロック                                              
２１  ガイド棒                                              
２２  ビス                                                  
【図１】
0003150518.tif 000003
【図２】
0003150518.tif 000004
【図３】
0003150518.tif 000005
【図４】
0003150518.tif 000006
【図５】
0003150518.tif 000007
【図６】
0003150518.tif 000008
【図７】
0003150518.tif 000009